【手続補正書】
【提出日】平成16年1月6日(2004.1.6)
【手続補正１】
【補正対象書類名】明細書
【補正対象項目名】発明の名称
【補正方法】変更
【補正の内容】
【発明の名称】情報管理方法及び携帯情報機器システム


【手続補正２】
【補正対象書類名】明細書
【補正対象項目名】特許請求の範囲
【補正方法】変更
【補正の内容】
【特許請求の範囲】
【請求項１】
携帯情報機器に属する情報の管理方法であって、
(a) 前記携帯情報機器に設けられた記憶部に格納された情報が更新されたか否かを判断するステップと、
(b) 前記ステップ(a) における前記記憶部に格納された情報が更新されたか否かの判断に基づき、前記記憶部に格納された情報を別の装置の別の記憶部にバックアップするステップと、
を備えた情報管理方法。
【請求項２】
(c) 前記ステップ(a) における前記記憶部に格納された情報が更新されたか否かの判断に基づき、前記記憶部に格納された情報が前記別の記憶部に格納された情報と一致するか否かを判断するステップと、
(d) 前記ステップ(c) における前記記憶部に格納された情報と前記別の記憶部に格納された情報とが一致するか否かの判断に基づき、前記別の記憶部に格納された情報を前記記憶部に転送するステップと、
をさらに備える請求項１記載の情報管理方法。
【請求項３】
(c) 前記記憶部に格納されたＩＤ情報が前記別の記憶部に登録されたＩＤ情報と一致するか否かを判断するステップをさらに備え、
前記ステップ(a) は、前記記憶部に格納されたＩＤ情報が前記別の記憶部に登録されたＩＤ情報と一致するか否かの判断に基づき、その実行／非実行が制御される、
請求項１記載の情報管理方法。
【請求項４】
(c) 前記携帯情報機器上でのパスワードの入力を要求するステップと、
(d) 前記ステップ(c) の要求に応じて入力された入力パスワードが前記別の記憶部内の登録パスワードと一致するか否かを判断するステップとをさらに備え、
前記ステップ(a) は、前記入力パスワードが前記別の記憶部内の登録パスワードと一致するか否かの判断に基づき、その実行／非実行が制御される、
請求項１記載の情報管理方法。
【請求項５】
前記記憶部は前記記憶部に格納された情報が更新されたか否かを示す更新ビットを含み、
前記ステップ(a) は、前記更新ビットを参照するステップを含む、
請求項１記載の情報管理方法。
【請求項６】
前記別の記憶部は、各々がＩＤ情報を登録した複数のＩＤ情報登録部を含み、
前記情報管理方法は、
(c) 前記記憶部に格納されたＩＤ情報が、前記複数のＩＤ情報登録部に登録された複数のＩＤ情報の少なくとも一つに一致するか否かを判断するステップをさらに備え、
前記ステップ(a) は、前記記憶部に格納されたＩＤ情報が前記複数のＩＤ情報の少なくとも一つに一致するか否かの判断に基づき、その実行／非実行が制御される、
請求項１記載の情報管理方法。
【請求項７】
前記別の記憶部は、各々が登録パスワードを保持する複数のパスワード登録部をさらに含み、
前記情報管理方法は、
(d) 前記携帯情報機器上でのパスワードの入力を要求するステップと、
(e) 前記ステップ(d) の要求に応じて入力された入力パスワードが、前記複数のパスワード情報登録部に保持された複数のパスワードの一つに一致するか否かを判断するステップをさらに備える、
請求項６記載の情報管理方法。
【請求項８】
前記別の装置は前記携帯情報機器に電気的に接続され、前記携帯情報装置に備えられた電池を充電することが可能である、
請求項１記載の情報管理方法。
【請求項９】
充電池を有し、該充電池を動作電源として動作する携帯情報機器と、
前記携帯情報機器に所定の状態で接続した時、前記充電池を充電可能な充電器とを備えた携帯情報機器システムであって、
前記携帯情報機器は、
入力手段と、
個人情報を格納する携帯情報機器用記憶部と、
前記携帯情報機器用記憶部との間で情報の授受が可能な携帯情報機器用制御部とをさらに有し、
前記充電器は、
バックアップ情報及び照合用パスワードを格納する充電器用記憶部と、
前記充電器用記憶部との間で情報の授受が可能な充電器用制御部とを有し、
前記所定の状態で前記携帯情報機器と前記充電器とを接続すると、前記携帯情報機器用制御部と充電器用制御部との間で情報の授受が可能となり、前記携帯情報機器用制御部及び充電器用制御部の制御下で前記携帯情報機器用記憶部と充電器用記憶部との間における情報管理動作が自動的に実行され、
前記情報管理動作は、
(a) 前記入力手段から入力されるパスワードと前記照合用パスワードとの一致が認められるか否かを判定するステップと、
(b) 前記ステップ(a)で一致が認められたと判定され、かつ前記個人情報の更新がなされている場合に、前記個人情報を前記バックアップ情報として前記充電器用記憶部に転送することによりバックアップ処理を行うステップと、
(c) 前記ステップ(a)で一致が認められたと判定され、かつ前記個人情報の更新がなされておらず、しかも前記個人情報と前記バックアップ情報との内容が不一致の場合、前記バックアップ情報を前記個人情報として前記携帯情報機器用記憶部に転送することによりリストア処理を行うステップとを備える、
携帯情報機器システム。
【請求項１０】
前記携帯情報機器は第１〜第Ｎ（Ｎ≧２）の携帯情報機器を含み、前記充電池は第１〜第Ｎの充電池を含み、前記入力手段は第１〜第Ｎの入力手段を含み、前記個人情報は第１〜第Ｎの個人情報を含み、前記携帯情報機器用記憶部は第１〜第Ｎの携帯情報機器用記憶部を含み、
前記照合用パスワードは前記第１〜第Ｎの携帯情報機器に対応した第１〜第Ｎの照合用パスワードを含み、
前記第１〜第Ｎの携帯情報機器用記憶部はそれぞれ第１〜第Ｎの識別情報をさらに格納し、
充電器用記憶部は前記第１〜第Ｎの携帯情報機器に対応した第１〜第Ｎの照合用識別情報をさらに格納し、
第ｉ（ｉ＝１〜Ｎ）の携帯情報機器は、第ｉの充電池と、第ｉの入力手段と、第ｉの個人情報及び第ｉの識別情報を格納する第ｉの携帯情報機器用記憶部と、前記携帯情報機器用記憶部との間で情報の授受が可能な第ｉの携帯情報機器用制御部とを有し、
前記所定の状態で前記第１〜第Ｎの携帯情報機器のうち一の携帯情報機器である第Ｍ（Ｍ＝１〜Ｎのいずれか）の携帯情報機器と前記充電器とを接続すると、第Ｍの携帯情報機器用制御部と前記充電器用制御部との間で情報の授受が可能となり、前記第Ｍの携帯情報機器用制御部及び前記充電器用制御部の制御下で、第Ｍの携帯情報機器用記憶部と前記充電器用記憶部との間における前記情報管理動作が自動的に実行され、
前記ステップ(a)は、第Ｍの識別情報と第Ｍの照合用識別情報との一致及び第Ｍの入力手段から入力されるパスワードと第Ｍの照合用パスワードとの一致が共に認められるか否かを判定するステップを含み、
前記ステップ(b)は、前記ステップ(a)で一致が共に認められたと判定され、かつ第Ｍの個人情報の更新がなされている場合に、前記第Ｍの個人情報を第Ｍのバックアップ情報として前記充電器用記憶部に転送することによりバックアップ処理を行うステップを含み、
前記ステップ(c)は、前記ステップ(a)で一致が共に認められたと判定され、かつ前記第Ｍの個人情報の更新がなされておらず、しかも前記第Ｍの個人情報と前記第Ｍのバックアップ情報との内容が不一致の場合、前記第Ｍのバックアップ情報を前記第Ｍの個人情報として前記第Ｍの携帯情報機器用記憶部に転送することによりリストア処理を行うステップを含む、
請求項９記載の携帯情報機器システム。
【請求項１１】
前記携帯情報機器用記憶部の前記識別情報の格納部分以外は、揮発性メモリで構成される、
請求項９あるいは請求項１０記載の携帯情報機器システム。
【請求項１２】
前記携帯情報機器は携帯情報機器用赤外線送受信部をさらに有し、
前記充電器は充電器用赤外線送受信部をさらに有し、
前記所定の状態で前記携帯情報機器と前記充電器とを接続すると、前記携帯情報機器用赤外線送受信部と前記充電器用赤外線送受信部との間の赤外線情報転送によって、前記携帯情報機器用制御部と充電器用制御部との間での情報の授受を可能にしたことを特徴とする、
請求項９ないし請求項１１記載のいずれか１項に記載の携帯情報機器システム。
【請求項１３】
前記充電器は、
充電器用充電端子と、
前記充電器用充電端子及び充電器用制御部に電気的に接続され、前記充電池を充電するための充電信号を前記充電器用記憶部から読み出した情報信号で変調した変調信号を前記充電器用充電端子に出力可能な変調器とをさらに有し、
前記携帯情報機器は、
携帯情報機器用充電端子と、
前記充電池、前記携帯情報機器用制御部及び携帯情報機器用充電端子に電気的に接続され、携帯情報機器用充電端子から受ける前記変調信号を復調して復調充電信号及び復調情報信号を得、前記復調充電信号を前記充電池に出力するとともに前記復調情報信号を前記携帯情報機器用制御部に出力可能な復調器とをさらに有し、
前記所定の状態で前記携帯情報機器と前記充電器とを接続すると、前記携帯情報機器用充電端子と前記充電器用充電端子とが電気的に接続され、前記変調器から前記変調信号を出力可能にし、前記復調器から前記復調充電信号と前記復調情報信号を出力可能にすることにより、前記携帯情報機器用制御部と充電器用制御部との間での情報の授受を可能にしたことを特徴とする、
請求項９ないし請求項１１記載のいずれか１項に記載の携帯情報機器システム。
【手続補正３】
【補正対象書類名】明細書
【補正対象項目名】０００１
【補正方法】変更
【補正の内容】
【０００１】
【発明の属する技術分野】
この発明は携帯電話等の携帯情報機器に属する情報の管理方法及び携帯情報機器とその充電器とを含む携帯情報機器システムに関する。


【手続補正４】
【補正対象書類名】明細書
【補正対象項目名】００１３
【補正方法】変更
【補正の内容】
【００１３】
この発明は上記問題点を解決するためになされたもので、製造コスト、消費電力の低減を図りながら、情報登録機能を有する携帯情報機器システム及び携帯情報機器に属する情報管理方法を得ることを目的とする。


【手続補正５】
【補正対象書類名】明細書
【補正対象項目名】００１４
【補正方法】変更
【補正の内容】
【００１４】
【課題を解決するための手段】
この発明に係る請求項１記載の情報管理方法は、携帯情報機器に属する情報の管理方法であって、(a) 前記携帯情報機器に設けられた記憶部に格納された情報が更新されたか否かを判断するステップと、(b) 前記ステップ(a) における前記記憶部に格納された情報が更新されたか否かの判断に基づき、前記記憶部に格納された情報を別の装置の別の記憶部にバックアップするステップとを備えている。
請求項２記載の情報管理方法は、(c) 前記ステップ(a) における前記記憶部に格納された情報が更新されたか否かの判断に基づき、前記記憶部に格納された情報が前記別の記憶部に格納された情報と一致するか否かを判断するステップと、(d) 前記ステップ(c) における前記記憶部に格納された情報と前記別の記憶部に格納された情報とが一致するか否かの判断に基づき、前記別の記憶部に格納された情報を前記記憶部に転送するステップとをさらに備えている。
請求項３記載の情報管理方法は、(c) 前記記憶部に格納されたＩＤ情報が前記別の記憶部に登録されたＩＤ情報と一致するか否かを判断するステップをさらに備え、前記ステップ(a) は、前記記憶部に格納されたＩＤ情報が前記別の記憶部に登録されたＩＤ情報と一致するか否かの判断に基づき、その実行／非実行が制御される。
請求項４記載の情報管理方法は、(c) 前記携帯情報機器上でのパスワードの入力を要求するステップと、(d) 前記ステップ(c) の要求に応じて入力された入力パスワードが前記別の記憶部内の登録パスワードと一致するか否かを判断するステップとをさらに備え、前記ステップ(a) は、前記入力パスワードが前記別の記憶部内の登録パスワードと一致するか否かの判断に基づき、その実行／非実行が制御される。
請求項５記載の情報管理方法において、前記記憶部は前記記憶部に格納された情報が更新されたか否かを示す更新ビットを含み、前記ステップ(a) は、前記更新ビットを参照するステップを含む。
請求項６記載の情報管理方法において、前記別の記憶部は、各々がＩＤ情報を登録した複数のＩＤ情報登録部を含み、前記情報管理方法は、(c) 前記記憶部に格納されたＩＤ情報が、前記複数のＩＤ情報登録部に登録された複数のＩＤ情報の少なくとも一つに一致するか否かを判断するステップをさらに備え、前記ステップ(a) は、前記記憶部に格納されたＩＤ情報が前記複数のＩＤ情報の少なくとも一つに一致するか否かの判断に基づき、その実行／非実行が制御される。
請求項７記載の情報管理方法において、前記別の記憶部は、各々が登録パスワードを保持する複数のパスワード登録部をさらに含み、前記情報管理方法は、(d) 前記携帯情報機器上でのパスワードの入力を要求するステップと、(e) 前記ステップ(d) の要求に応じて入力された入力パスワードが、前記複数のパスワード情報登録部に保持された複数のパスワードの一つに一致するか否かを判断するステップをさらに備える、。
請求項８記載の情報管理方法において、前記別の装置は前記携帯情報機器に電気的に接続され、前記携帯情報装置に備えられた電池を充電することが可能である。
この発明に係る請求項９記載の携帯情報機器システムは、充電池を有し、該充電池を動作電源として動作する携帯情報機器と、前記携帯情報機器に所定の状態で接続した時、前記充電池を充電可能な充電器とを備えており、前記携帯情報機器は、入力手段と、個人情報を格納する携帯情報機器用記憶部と、前記携帯情報機器用記憶部との間で情報の授受が可能な携帯情報機器用制御部とをさらに有し、前記充電器は、バックアップ情報及び照合用パスワードを格納する充電器用記憶部と、前記充電器用記憶部との間で情報の授受が可能な充電器用制御部とを有し、前記所定の状態で前記携帯情報機器と前記充電器とを接続すると、前記携帯情報機器用制御部と充電器用制御部との間で情報の授受が可能となり、前記携帯情報機器用制御部及び充電器用制御部の制御下で前記携帯情報機器用記憶部と充電器用記憶部との間における情報管理動作が自動的に実行され、前記情報管理動作は、(a) 前記入力手段から入力されるパスワードと前記照合用パスワードとの一致が認められるか否かを判定するステップと、(b) 前記ステップ(a)で一致が認められたと判定され、かつ前記個人情報の更新がなされている場合に、前記個人情報を前記バックアップ情報として前記充電器用記憶部に転送することによりバックアップ処理を行うステップと、(c) 前記ステップ(a)で一致が認められたと判定され、かつ前記個人情報の更新がなされておらず、しかも前記個人情報と前記バックアップ情報との内容が不一致の場合、前記バックアップ情報を前記個人情報として前記携帯情報機器用記憶部に転送することによりリストア処理を行うステップとを備えている。


【手続補正６】
【補正対象書類名】明細書
【補正対象項目名】００１５
【補正方法】変更
【補正の内容】
【００１５】
請求項１０記載の携帯情報機器システムにおいて、前記携帯情報機器は第１〜第Ｎ（Ｎ≧２）の携帯情報機器を含み、前記充電池は第１〜第Ｎの充電池を含み、前記入力手段は第１〜第Ｎの入力手段を含み、前記個人情報は第１〜第Ｎの個人情報を含み、前記携帯情報機器用記憶部は第１〜第Ｎの携帯情報機器用記憶部を含み、前記照合用パスワードは前記第１〜第Ｎの携帯情報機器に対応した第１〜第Ｎの照合用パスワードを含み、前記第１〜第Ｎの携帯情報機器用記憶部はそれぞれ第１〜第Ｎの識別情報をさらに格納し、充電器用記憶部は前記第１〜第Ｎの携帯情報機器に対応した第１〜第Ｎの照合用識別情報をさらに格納し、第ｉ（ｉ＝１〜Ｎ）の携帯情報機器は、第ｉの充電池と、第ｉの入力手段と、第ｉの個人情報及び第ｉの識別情報を格納する第ｉの携帯情報機器用記憶部と、前記携帯情報機器用記憶部との間で情報の授受が可能な第ｉの携帯情報機器用制御部とを有し、前記所定の状態で前記第１〜第Ｎの携帯情報機器のうち一の携帯情報機器である第Ｍ（Ｍ＝１〜Ｎのいずれか）の携帯情報機器と前記充電器とを接続すると、第Ｍの携帯情報機器用制御部と前記充電器用制御部との間で情報の授受が可能となり、前記第Ｍの携帯情報機器用制御部及び前記充電器用制御部の制御下で、第Ｍの携帯情報機器用記憶部と前記充電器用記憶部との間における前記情報管理動作が自動的に実行され、前記ステップ(a)は、第Ｍの識別情報と第Ｍの照合用識別情報との一致及び第Ｍの入力手段から入力されるパスワードと第Ｍの照合用パスワードとの一致が共に認められるか否かを判定するステップを含み、前記ステップ(b)は、前記ステップ(a)で一致が共に認められたと判定され、かつ第Ｍの個人情報の更新がなされている場合に、前記第Ｍの個人情報を第Ｍのバックアップ情報として前記充電器用記憶部に転送することによりバックアップ処理を行うステップを含み、前記ステップ(c)は、前記ステップ(a)で一致が共に認められたと判定され、かつ前記第Ｍの個人情報の更新がなされておらず、しかも前記第Ｍの個人情報と前記第Ｍのバックアップ情報との内容が不一致の場合、前記第Ｍのバックアップ情報を前記第Ｍの個人情報として前記第Ｍの携帯情報機器用記憶部に転送することによりリストア処理を行うステップを含んでいる。


【手続補正７】
【補正対象書類名】明細書
【補正対象項目名】００１６
【補正方法】変更
【補正の内容】
【００１６】
請求項１１記載の携帯情報機器システムにおいて、前記携帯情報機器用記憶部の前記識別情報の格納部分以外は、揮発性メモリで構成されている。


【手続補正８】
【補正対象書類名】明細書
【補正対象項目名】００１７
【補正方法】変更
【補正の内容】
【００１７】
請求項１２記載の携帯情報機器システムにおいて、前記携帯情報機器は携帯情報機器用赤外線送受信部をさらに有し、前記充電器は充電器用赤外線送受信部をさらに有し、前記所定の状態で前記携帯情報機器と前記充電器とを接続すると、前記携帯情報機器用赤外線送受信部と前記充電器用赤外線送受信部との間の赤外線情報転送によって、前記携帯情報機器用制御部と充電器用制御部との間での情報の授受を可能にしている。


【手続補正９】
【補正対象書類名】明細書
【補正対象項目名】００１８
【補正方法】変更
【補正の内容】
【００１８】
請求項１３記載の携帯情報機器システムにおいて、前記充電器は、充電器用充電端子と、前記充電器用充電端子及び充電器用制御部に電気的に接続され、前記充電池を充電するための充電信号を前記充電器用記憶部から読み出した情報信号で変調した変調信号を前記充電器用充電端子に出力可能な変調器とをさらに有し、前記携帯情報機器は、携帯情報機器用充電端子と、前記充電池、前記携帯情報機器用制御部及び携帯情報機器用充電端子に電気的に接続され、携帯情報機器用充電端子から受ける前記変調信号を復調して復調充電信号及び復調情報信号を得、前記復調充電信号を前記充電池に出力するとともに前記復調情報信号を前記携帯情報機器用制御部に出力可能な復調器とをさらに有し、前記所定の状態で前記携帯情報機器と前記充電器とを接続すると、前記携帯情報機器用充電端子と前記充電器用充電端子とが電気的に接続され、前記変調器から前記変調信号を出力可能にし、前記復調器から前記復調充電信号と前記復調情報信号を出力可能にすることにより、前記携帯情報機器用制御部と充電器用制御部との間での情報の授受を可能にしている。


【手続補正１０】
【補正対象書類名】明細書
【補正対象項目名】００２５
【補正方法】変更
【補正の内容】
【００２５】
充電器１０は、電源コンセント５２に接続されたＡＣアダプタ５１から充電池４５への充電経路ＣＲ１を有しており、充電経路ＣＲ１を介して電源コンセント５２から得られる電気によって充電池４５に充電することができる。


【手続補正１１】
【補正対象書類名】明細書
【補正対象項目名】００３４
【補正方法】変更
【補正の内容】
【００３４】
ステップＳ１５で記憶部３に記憶されている個人情報の内容が、携帯情報機器１を充電器１０と接続しない通常使用時に更新されたか否かをチェックし、更新されている場合（Ｙｅｓ）はステップＳ１６に移行し、更新されていない場合は（Ｎｏ）はステップＳ１７に移行する。なお、記憶部３内の個人情報の更新の有無の判断は、個人情報が更新されると“１”となる更新ビットを記憶部３に設け、更新ビットの“１”，“０”で更新の有無を判断する等によって行うことができる。


【手続補正１２】
【補正対象書類名】明細書
【補正対象項目名】００５０
【補正方法】変更
【補正の内容】
【００５０】
マイクロコントローラ１６は、携帯情報機器１Ａ，１Ｂを充電器６に充電可能な状態（所定の状態）に接続する際、携帯情報機器１Ａあるいは１Ｂのマイクロコントローラ２との信号の送受信を行うことができる。


【手続補正１３】
【補正対象書類名】明細書
【補正対象項目名】００５１
【補正方法】変更
【補正の内容】
【００５１】
したがって、マイクロコントローラ２Ａあるいは２Ｂとマイクロコントローラ１６との制御下で、携帯情報機器１Ａ，１Ｂの記憶部３Ａあるいは３Ｂに記憶された第１あるいは第２の個人情報を記憶部１７の第１あるいは第２のバックアップ情報として記憶させたり、記憶部１７に記憶された第１あるいは第２のバックアップ情報を記憶部３Ａあるいは３Ｂの第１あるいは第２の個人情報として記憶させたりする情報管理を行うことができる。


【手続補正１４】
【補正対象書類名】明細書
【補正対象項目名】００５２
【補正方法】変更
【補正の内容】
【００５２】
図４は実施の形態２の携帯情報機器システムの携帯情報機器と充電器との充電可能接続時に実行される情報管理動作を示すフローチャートである。これらの動作は携帯情報機器１Ａ，１Ｂのマイクロコントローラ２Ａ，２Ｂあるいはマイクロコントローラ１６の制御下で行われる。なお、ここでは、携帯情報機器１Ａと充電器６とを充電可能に接続した場合を想定して動作を説明する。


【手続補正１５】
【補正対象書類名】明細書
【補正対象項目名】００５９
【補正方法】変更
【補正の内容】
【００５９】
ステップＳ２６で、更新された記憶部３Ａ内の第１の個人情報のバックアップが必要とみなし、携帯情報機器１Ａの記憶部３Ａ内の第１の個人情報を充電器６の記憶部１７に第１のバックアップ情報として転送することにより第１の個人情報のバックアップ処理を行った後、情報管理処理を終了する。


【手続補正１６】
【補正対象書類名】明細書
【補正対象項目名】００６２
【補正方法】変更
【補正の内容】
【００６２】
ステップＳ２８で不一致と判定した場合（Ｎｏ）、携帯情報機器１Ａの第１の個人情報は不完全な状態（消去状態を含む）で保持されているとみなし、ステップＳ２９で、充電器６内の記憶部１７の第１のバックアップ情報を携帯情報機器１Ａ内の記憶部３Ａの第１の個人情報として転送することにより、携帯情報機器１Ａの記憶部３Ａの第１の個人情報のリストア処理を行った後、情報管理処理を終了する。


【手続補正１７】
【補正対象書類名】明細書
【補正対象項目名】００６４
【補正方法】変更
【補正の内容】
【００６４】
このように、実施の形態２の携帯情報機器システムは、携帯情報機器１Ａあるいは１Ｂと充電器６とを充電可能な状態に接続すると、充電動作を行うと共に携帯情報機器１Ａ，１Ｂ内の記憶部３Ａ，３Ｂに記憶された第１あるいは第２の個人情報の情報管理処理を自動的に行うことができる。


【手続補正１８】
【補正対象書類名】明細書
【補正対象項目名】００６５
【補正方法】変更
【補正の内容】
【００６５】
すなわち、携帯情報機器１Ａ内の第１の個人情報が更新されているときは、その第１の個人情報を充電器６の記憶部１７に第１のバックアップ情報として転送することによりバックアップ処理を行い、携帯情報機器１Ａ内の第１の個人情報が不完全な状態のときは、充電器６内の第１のバックアップ情報を記憶部３Ａ内の第１の個人情報として転送することによりリストア処理を行う。


【手続補正１９】
【補正対象書類名】明細書
【補正対象項目名】００６６
【補正方法】変更
【補正の内容】
【００６６】
同様に、携帯情報機器１Ｂ内の第２の個人情報が更新されているときは、その第２の個人情報を充電器６の記憶部１７に第２のバックアップ情報として転送することによりバックアップ処理を行い、携帯情報機器１Ｂ内の第２の個人情報が不完全な状態のときは、充電器６内の第２のバックアップ情報を記憶部３Ｂ内の第２の個人情報として転送することによりリストア処理を行う。


【手続補正２０】
【補正対象書類名】明細書
【補正対象項目名】００７５
【補正方法】変更
【補正の内容】
【００７５】
充電器７は、電源コンセント５２に接続されたＡＣアダプタ５１から充電池４５への充電経路ＣＲ１を有しており、充電経路ＣＲ１を介して電源コンセント５２から得られる電圧によって携帯情報機器４の充電池４５に充電することができる。


【手続補正２１】
【補正対象書類名】明細書
【補正対象項目名】００９７
【補正方法】変更
【補正の内容】
【００９７】
【発明の効果】
以上説明したように、この発明における請求項９記載の携帯情報機器システムは、充電池への充電動作に並行して行う情報管理動作として、(a) 入力手段から入力されるパスワードと照合用パスワードとの一致が認められるか否かを判定するステップと、(b) ステップ(a)で一致が認められたと判定され、かつ個人情報の更新がなされている場合に、個人情報をバックアップ情報として充電器用記憶部に転送することによりバックアップ処理を行うステップと、(c) ステップ(a)で一致が認められたと判定され、かつ個人情報の更新がなされておらず、しかも個人情報とバックアップ情報との内容が不一致の場合、バックアップ情報を個人情報として携帯情報機器用記憶部に転送することによりリストア処理を行うステップとを備えている。


【手続補正２２】
【補正対象書類名】明細書
【補正対象項目名】０１０１
【補正方法】変更
【補正の内容】
【０１０１】
請求項１０記載の携帯情報機器システムの携帯情報機器は第１〜第Ｎ（Ｎ≧２）の携帯情報機器を含み、所定の状態で第１〜第Ｎの携帯情報機器のうち一の携帯情報機器である第Ｍ（Ｍ＝１〜Ｎのいずれか）の携帯情報機器と充電器とを接続すると、第Ｍの携帯情報機器用制御部と充電器用制御部との間で情報の授受が可能となり、第Ｍの充電池への充電動作に並行して、第Ｍの携帯情報機器用制御部及び充電器用制御部の制御下で、第Ｍの携帯情報機器用記憶部と充電器用記憶部との間における情報管理動作が自動的に実行されるため、第１〜第Ｎの携帯情報機器及び充電器からなる携帯情報機器システムにおいて、請求項９記載の携帯情報機器システムと同様な効果を得ることができる。


【手続補正２３】
【補正対象書類名】明細書
【補正対象項目名】０１０２
【補正方法】変更
【補正の内容】
【０１０２】
加えて、ステップ(b)，(c) の起動条件となるステップ(a)において、第Ｍの照合用識別情報及び第Ｍの照合用パスワードによるチェックにより、充電器に接続可能な第Ｍの携帯情報機器以外の携帯情報機器によって充電器の充電器用記憶部内のバックアップ情報が盗用される危険性を確実に回避できるため、第１〜第Ｍの携帯情報機器に共用される充電器用記憶部に第１〜第Ｍのバックアップ情報を記憶させてもセキュリティが劣化することはない。


【手続補正２４】
【補正対象書類名】明細書
【補正対象項目名】０１０３
【補正方法】変更
【補正の内容】
【０１０３】
請求項１１記載の携帯情報機器システムにおいて、携帯情報機器用記憶部の識別情報の格納部以外は揮発性メモリで構成されるため、低コスト化、低消費電力化、メモリへのアクセス速度の高速化を図ることができる。


【手続補正２５】
【補正対象書類名】明細書
【補正対象項目名】０１０４
【補正方法】変更
【補正の内容】
【０１０４】
請求項１２記載の携帯情報機器システムは、所定の状態で携帯情報機器と充電器とを接続すると、携帯情報機器用赤外線送受信部と充電器用赤外線送受信部との間の赤外線情報転送によって、充電池への充電動作中に携帯情報機器用制御部と充電器用制御部との間での情報の授受を可能にしている。


【手続補正２６】
【補正対象書類名】明細書
【補正対象項目名】０１０６
【補正方法】変更
【補正の内容】
【０１０６】
請求項１３記載の携帯情報機器システムは、所定の状態で携帯情報機器と充電器とを接続すると、携帯情報機器用充電端子と充電器用充電端子とが電気的に接続され、充電器の変調器から変調信号を出力可能にし、携帯情報機器の復調器から復調充電信号と復調情報信号を出力可能にすることにより、充電池への充電動作中に携帯情報機器用制御部と充電器用制御部との間での情報の授受を可能にしている。


【手続補正２７】
【補正対象書類名】図面
【補正対象項目名】図３
【補正方法】変更
【補正の内容】
【図３】
2000031882.tif 000001